(57)【要約】【課題】封印作業を簡単に行うことができると共に、開封されたことを確実に発見できる遊技機の基板ユニットを提供する。【解決手段】開閉可能な基板ケース１０４（上下ケース１０１，１０２）内に制御基板１０５が収納されている遊技機の基板ユニット１００において、上ケース１０１に設けたシール装着部１０７と下ケース１０２に設けた連結部１０２ｂとをネジ１１１で固定すると共に、ネジ１１１の上からシール装着部１０７に封印シール１１２を貼着した後、シールカバー１０３をシール装着部１０７に挿入して取り外し不能状態にスナップフィット結合した。シールカバー１０３には切除容易部１０３ｂが形成されており、この切除容易部１０３ｂに差し込んだ治具１１３で封印シール１１２を突き破らない限り、ネジ１１１を緩めることができないようになっている。【選択図】図１２
2012170548.tif 000002
【特許請求の範囲】
【請求項１】
相対的にスライド移動して重ね合わされた第１ケースおよび第２ケースと、これら両ケースの内部に収納された遊技に関する制御を司る制御基板と、前記第１ケースに設けられたシール装着部と前記第２ケースに設けられた連結部とを重ね合わせて一体的に固定するネジと、このネジの頭部を覆うように前記シール装着部に貼着された識別情報の記憶されたＩＣタグ付きの封印シールと、前記シール装着部にスナップフィット結合されて前記封印シールを覆う箱形形状のシールカバーとを備え、
前記シールカバーの内壁面と前記シール装着部の外壁面とにスナップフィット結合用の係止部が形成されていると共に、このシールカバーの前記ネジの頭部を臨む箇所に、前記ネジを回転操作するための治具挿入用の開口または切断されることで前記開口となる切除容易部が形成されていることを特徴とする遊技機の基板ユニット。
【請求項２】
請求項１の記載において、前記連結部が前記第２ケースの側面に設けられた直方体形状の板状体であると共に、前記シール装着部が、前記第１ケースに設けられて前記連結部の一面を除いて包囲する装着本体部と、この装着本体部に重ね合わされて前記連結部の一面を覆うスペーサ板とからなり、前記封印シールが前記装着本体部と前記スペーサ板とに跨がって貼着されていることを特徴とする遊技機の基板ユニット。
【発明の詳細な説明】
【技術分野】
【０００１】
本発明は、パチンコ機やスロットマシン等の遊技機に備えられる基板ユニットに関するものである。
【背景技術】
【０００２】
パチンコ機やスロットマシン等の遊技機には遊技の制御を司る種々の制御基板が設けられており、通常、この制御基板は上ケースと下ケース内に収納されることで基板ユニットとして構成され、遊技機の裏面や筐体内部に着脱可能に取り付けられている。このような基板ユニットにおいては、制御基板に対する様々な不正行為、例えば、遊技の主制御を行うためのプログラムが記憶された正規ＲＯＭを不正なプログラムが記憶された不正ＲＯＭに交換する行為や、所謂ぶら下がり基板と称される不正基板を制御基板に電気的に接続して正規の動作を妨げるようにする行為などを防止するために、両ケースがアンカーリベットやワンウェイネジ等の封印部材を用いて封印されており、この封印部材の一部を破壊しない限り両ケースの封印状態を解除できないようになっている。
【０００３】
また、近年では、識別情報が格納されたＩＣタグの付いた封印シール（ＩＣタグ封印シール）を上ケースと下ケースとに跨がるように貼り付けると共に、このＩＣタグ封印シールを覆うシールカバーを上ケースに取り付けるようにした基板ユニットが知られている（特許文献１参照）。かかる基板ユニットでは、シールカバーを取り外してからＩＣタグ封印シールを不正に剥がそうとすると、ＩＣタグ封印シールが破損してリーダー機による識別情報の読み取りを不可能とするため、不正行為が行われたことを発見できるようになっている。
【先行技術文献】
【特許文献】
【０００４】
【特許文献１】特開２００９−２６１６４０号公報
【発明の概要】
【発明が解決しようとする課題】
【０００５】
しかしながら、不正行為を行う手口は日を追うごとに巧妙になってきており、シールカバーを取り外してからＩＣタグ封印シールを破損しないように丁寧に剥がし、この状態で両ケースを開放して内部の制御基板に搭載された正規ＲＯＭを不正ＲＯＭに交換した後、再びＩＣタグ封印シールを貼り直してシールカバーを取り付けるという不正行為が行われることがある。このような不正行為が行われた場合、ＩＣタグ封印シール自体は破損していないため、リーダー機で読み取った識別情報は正規のものとなり、リーダー機では不正行為を発見することができなくなる。しかも、シールカバーとＩＣタグ封印シールが痕跡を残さずに上手に再装着されていると、目視確認によっても不正行為を発見することができず、遊技場（ホール）の被る被害は甚大なものとなっていた。
【０００６】
本発明は、このような従来技術の実情に鑑みてなされたもので、その目的は、封印作業を簡単に行うことができると共に、開封されたことを確実に発見できる遊技機の基板ユニットを提供することにある。
【課題を解決するための手段】
【０００７】
上記の目的を達成するために、本発明の基板ユニットは、相対的にスライド移動して重ね合わされた第１ケースおよび第２ケースと、これら両ケースの内部に収納された遊技に関する制御を司る制御基板と、前記第１ケースに設けられたシール装着部と前記第２ケースに設けられた連結部とを重ね合わせて一体的に固定するネジと、このネジの頭部を覆うように前記シール装着部に貼着された識別情報の記憶されたＩＣタグ付きの封印シールと、前記シール装着部にスナップフィット結合されて前記封印シールを覆う箱形形状のシールカバーとを備え、前記シールカバーの内壁面と前記シール装着部の外壁面とにスナップフィット結合用の係止部が形成されていると共に、このシールカバーの前記ネジの頭部を臨む箇所に、前記ネジを回転操作するための治具挿入用の開口または切断されることで前記開口となる切除容易部が形成されている構成にした。
【０００８】
このように構成された基板ユニットでは、第１ケースのシール装着部と第２ケースの連結部とを重ね合わせてネジで一体的に固定し、そのネジの頭部を覆い隠すようにシール装着部に封印シールを貼着した後、シール装着部に対して外方から箱形形状のシールカバーを挿入すると、両者の係止部どうしがシールカバーの内部でスナップフィット結合される。その結果、シールカバーが第１ケースのシール装着部に対して外部にロック解除部を持たない「嵌め殺し」と呼ばれる取り外し不能状態で取り付けられるため、シールカバーを取り外して封印シールを剥がすような不正行為を確実に防止することができる。また、両ケースを開封する場合は、シールカバーに形成された開口（または切除容易部）にドライバー等の治具を挿入してネジを緩めることにより、シール装着部と連結部とを分離することができるが、その際、治具で封印シールを突き破らないとネジを回すことができないため、封印シールの破損痕跡の有無を目視確認することによって、両ケースが開封されたことを確実に発見することができ、封印シールが破損している場合はリーダー機での読み取りが不能となる。特に、切断されることによって開口となる切除容易部がシールカバーに形成されている場合、切除容易部を切断しない限りネジに治具をアクセスできないため、切除容易部の破損痕跡の有無を目視確認することによって、両ケースが開封されたことをより確実に発見することができる。
【０００９】
上記の構成において、連結部が第２ケースの側面に設けられた直方体形状の板状体であると共に、シール装着部が、第１ケースに設けられて連結部の一面を除いて包囲する装着本体部と、この装着本体部に重ね合わされて連結部の一面を覆うスペーサ板とからなり、封印シールがこれら装着本体部とスペーサ板とに跨がって貼着されていると、ネジを緩めてシール装着部と連結部とを分離した後、さらにシール装着部を装着本体部とスペーサ板とに分離することにより、シールカバーとシール装着部のスナップフィット結合を比較的容易に解除することができる。
【発明の効果】
【００１０】
本発明による遊技機の基板ユニットは、第１ケースのシール装着部と第２ケースの連結部とをネジ止めしてシール装着部に封印シールを貼着した後、シール装着部に対してシールカバーをスナップインするという簡単な作業で両ケースを封印することができ、また、シールカバーの開口から挿入した治具で封印シールを突き破らない限りネジを緩めることができないため、封印シールの破損痕跡の有無を目視確認することによって、両ケースが開封されたことを確実に発見することができる。
【図面の簡単な説明】
【００１１】
【図１】本発明の基板ユニットが取り付けられたパチンコ機の外観斜視図である。
【図２】図１に示すパチンコ機のガラス扉を開けた状態の外観斜視図である。
【図３】図１に示すパチンコ機の背面図である。
【図４】本発明の実施形態例に係る基板ユニットの外観斜視図である。
【図５】図４のＡ−Ａ線に沿う断面図である。
【図６】図４に示す基板ユニットの平面図である。
【図７】図５のＢ−Ｂ線に沿う断面図である。
【図８】図４の基板ユニットに備えられる上ケースと制御基板の分解斜視図である。
【図９】図４の基板ユニットに備えられる基板ケースの組立途中状態を示す斜視図である。
【図１０】図４の基板ユニットに備えられる基板ケースとスペーサ板および封印シールの分解斜視図である。
【図１１】図１０の基板ケースに封印シールを貼着した状態を示す平面図である。
【図１２】図１１のＣ−Ｃ線に沿う断面図である。
【図１３】図１１に示す基板ケースとシールカバーの分解斜視図である。
【図１４】図４の基板ユニットを開封する手順を示す斜視図である。
【発明を実施するための形態】
【００１２】
発明の実施の形態について図面を参照して説明すると、図１に示すように、本発明の基板ユニットが取り付けられたパチンコ機（遊技機）Ｐは、遊技場の島設備に設置される縦長方形状の機枠１と、機枠１に扉状に開閉自在に取り付けられた本体枠２と、本体枠２の前面に扉状に開閉自在に取り付けられたガラス扉３等を備えており、ガラス扉３にはガラスやプラスチック等からなる透明板４が取り付けられている。
【００１３】
図２に示すように、機枠１の左側枠部には上側軸受け体５と下側軸受け体（図示せず）が固着されており、この下側軸受け体よりも下方の左下隅部には大型のスピーカ６が配設されている。一方、本体枠２の左側枠部の上下両端には第１ピン（図示せず）が設けられており、これら両第１ピンが対応する上下の軸受け体に軸支されることにより、本体枠２は機枠１に対して開閉自在となっている。
【００１４】
本体枠２の上部内側には遊技盤７が収納されており、この遊技盤７の盤面（前面）は透明板４を透して目視可能となっている。遊技盤７はガイドレール８等によって区画形成された遊技領域９を有しており、詳細な説明は省略するが、遊技領域９には可変表示装置や始動入賞口、一般入賞口、アタッカー装置、遊技釘、風車、アウト口等が設けられている。遊技盤７よりも下方の本体枠２はガラス扉３によって覆い隠される設置部２ｂとなっており、この設置部２ｂ内の下部中央には遊技球を遊技領域９に向けて発射する発射装置１０が配設されている。
【００１５】
本体枠２の右側枠部にはシリンダ錠１１ａを有する施錠装置１１が設置されており、図示省略されているが、この施錠装置１１は本体枠２の裏面に配置された後部施錠杆と本体枠２の前面に配置された前部施錠杆とを備えている。常態では、施錠装置１１の後部施錠杆により機枠１に対して本体枠２が施錠されると共に、施錠装置１１の前部施錠杆により本体枠２に対してガラス扉３が施錠されている。そして、シリンダ錠１１ａの鍵穴に図示せぬ鍵を差し込み、この鍵を一方向（例えば時計回り）へ回動すると、後部施錠杆が上動して本体枠２が開錠されるようになっている。また、シリンダ錠１１ａの鍵穴に差し込んだ鍵を他方向（反時計回り）へ回動すると、前部施錠杆が上動してガラス扉３が開錠されるようになっている。
【００１６】
ガラス扉３の左側枠部の上下両端には第２ピン（図示せず）が設けられており、これら両第２ピンを本体枠２の上下の軸孔（図示せず）に挿入することにより、ガラス扉３は本体枠２に対して開閉自在となっている。図１に戻り、ガラス扉３には遊技盤７の盤面に対向する大きな開口３ａが開設されており、この開口３ａは透明板４によって塞がれている。ガラス扉３の前面上部には比較的小型のスピーカ１２が左右に１個ずつ配設されており、これらスピーカ１２と前述した大型のスピーカ６とによって遊技に関する様々な効果音を発するようになっている。また、ガラス扉３の前面下部には、遊技盤７の裏面に配設された球払出装置（後述する）から払い出された遊技球を収容する上段受皿１３と、上段受皿１３から排出された遊技球を収容する下段受皿１４と、遊技者による押下操作が可能なプッシュ釦１５とが設けられており、上段受皿１２の右側方には発射装置１０の発射強度を調整するための操作ハンドル１６が配設されている。
【００１７】
図３に示すように、このパチンコ機Ｐの背面側には、遊技に関する主要な処理を行う主制御処理部１７と、主制御処理部１７からの指令を受けて可変表示装置やスピーカ等の各種装置を制御する副制御処理１８と、賞球払出装置１９と、主制御処理部１７からの指令を受けて賞球払出装置１９を制御する払出制御処理部２０と、操作ハンドル１６の回動量に応じて発射装置１０の作動を制御する発射制御処理部２１と、賞球数や大当たり回数等の各種情報を遊技場のホールコンピュータに出力する外部端子基板２２等が設けられている。
【００１８】
主制御処理部１７は、ＣＰＵ（Central Processing Unit）と、予め定められた制御プログラムを格納するＲＯＭ（Read Only Memory）と、生成された処理情報の一時記憶および記憶した情報の削除を行うＲＡＭ（Random Access Memory）等が実装された制御基板（メイン基板）とを備えており、このＣＰＵがＲＯＭに格納された各種プログラムやデータを読み込んで実行することにより、遊技に関する主要な処理が行われる。後述するように、制御基板は基板ユニット１００の構成部品である基板ケース内に収納されており、この基板ケースが遊技盤７の裏面に固定されている。
【００１９】
次に、基板ユニット１００の詳細な構造について図４〜図１３を参照しながら説明すると、本実施形態例に係る基板ユニット（遊技機の基板ユニット）１００は、矩形箱状の透明な上ケース（第１ケース）１０１と、矩形箱状の透明な下ケース（第２ケース）１０２と、一面を開放した箱形形状の透明なシールカバー１０３とを備えている。そして、上ケース１０１と下ケース１０２をスライド嵌合によって重ね合わせることで基板ケース１０４が構成されており、この基板ケース１０４の内部に制御基板１０５が収納されている。
【００２０】
図８に示すように、上ケース１０１の一方の側部（短辺）には複数の封止孔１０１ａが形成され、他方の側部には装着本体部１０１ｂが突出形成されている。この装着本体部１０１ｂは全体的に見ると裏面を開放した直方体箱形状となっており、その側面中央部に貫通孔１０１ｃが穿設されていると共に、両端面に第１の係止部としての係止爪１０１ｄが形成されている（図５参照）。なお、図７と図１２に示すように、装着本体部１０１ｂの裏面側の開放端は後述するスペーサ板１０６によって塞がれるようになっており、これら装着本体部１０１ｂとスペーサ板１０６とでシール装着部１０７が構成されている。
【００２１】
また、上ケース１０１の天面周縁部には複数の角形孔１０１ｅが穿設されており、この上ケース１０１の内部に制御基板１０５が複数本のネジ１０８を用いて固定されている。この制御基板１０５の表面には前述した主制御処理部１７の回路構成部品であるＣＰＵやＲＯＭ等（図示せず）が実装される他、外部接続用の複数のコネクタ１０９が実装されており、これらコネクタ１０９は上ケース１０１の角形孔１０１ｅ内に露出するようになっている。
【００２２】
図９に示すように、下ケース１０２の一方の側部（短辺）には複数の封止孔１０２ａが形成され、他方の側部には連結部１０２ｂが突出形成されている。この連結部１０２ｂは直方体形状の板状体であり、その側面中央部にネジ孔１０２ｃが穿設されている。そして、かかる下ケース１０２に対して前述した上ケース１０１を図９の矢印で示す方向へスライド嵌合することにより、両ケース１０１，１０２は重ね合わされて基板ケース１０４となる。その際、下ケース１０２の連結部１０２ｂが上ケース１０１の装着本体部１０１ｂ内に挿入されることにより、装着本体部１０１の貫通孔１０１ｃの奥側に連結部１０２ｂのネジ孔１０２ｃが位置するようになっている。
【００２３】
図１０に示すように、この基板ケース１０４の一方の短辺側は、両ケース１０１，１０２の封止孔１０１ａ，１０２ａにアンカーリベットやワンウェイネジ等の封印部材１１０を嵌め込むことによって封印されている。また、基板ケース１０４の他方の短辺側において、上ケース１０１の装着本体部１０１ｂと下ケース１０２の連結部１０２ｂとは、貫通孔１０１ｃに挿入したネジ１１１をネジ孔１０２ｃに螺入することによって一体的に固定されている。前述したように、装着本体部１０１ｂの裏面側の開放端はスペーサ板１０６によって塞がれており、これら装着本体部１０１ｂとスペーサ板１０６とによってシール装着部１０７が構成される。
【００２４】
図１１と図１２に示すように、シール装着部１０７の装着本体部１０１ｂとスペーサ板１０６に跨がるように封印シール１１２が貼り付けらており、装着本体部１０１ｂと連結部１０２ｂを固定しているネジ１１１の頭部は封印シール１１２によって覆い隠されている。封印シール１１２は裏面に粘着層が形成された矩形状のベースシートを備えた公知のものであり、詳細については説明を省略するが、粘着層にはＩＣタグが埋め込まれている。このＩＣタグは、ベースシートの対角線に沿って延びる長尺状のアンテナと、アンテナの中央付近に配置されたＩＣチップとを備えており、ＩＣチップに記憶された固有の識別情報がリーダー機によって読み取り可能となっている。なお、封印シール１１２のベースシートは手指を用いて簡単に破ることが可能であり、ベースシートを破ることによってＩＣタグも同時に切断される。
【００２５】
図１３に示すように、シールカバー１０３は一面を開放した箱形形状の樹脂成形品であり、その両内端面には第２の係止部としての係止溝１０３ａが形成されている（図５参照）。また、シールカバー１０３の開口と対向する面の中央部には切除容易部１０３ｂが設けられており、この切除容易部１０３ｂは円形孔の内周面から中心に向かって延びる複数の腕部を有している。そして、このシールカバー１０３を封印シール１１２の外方からシール装着部１０７に挿入して押し込むると、装着本体部１０１ｂの外壁面に形成された係止爪（第１の係止部）１０１ｄとシールカバー１０３の内端面に形成された係止溝（第２の係止部）１０３ａとがスナップフィット結合される。すなわち、シールカバー１０３の内部で係止爪１０１ｄと係止溝１０３ａとがロック状態となり、このロック状態をシールカバー１０３の外部から解除することはできなくなる。その結果、図４〜図７に示すように、シールカバー１０３が上ケース１０１のシール装着部１０７に対して外部にロック解除部を持たない「嵌め殺し」と呼ばれる取り外し不能状態で取り付けられ、切除容易部１０３ｂが封印シール１１２を介してネジ１１１の頭部に対峙する。
【００２６】
次に、このように構成された基板ユニット１００の基板ケース１０４に制御基板１０５を収納して封印するまでの手順を説明する。まず、上ケース１０１の内部に制御基板１０５を複数本のネジ１０８を用いて固定した後（図８参照）、図９に示すように、上ケース１０１を下ケース１０２に対して同図の矢印方向へスライド嵌合することにより、両ケース１０１，１０２を重ね合わせて基板ケース１０４を得る。その結果、両ケース１０１，１０２の封止孔１０１ａ，１０２ａどうしが重ね合わされると共に、下ケース１０２の連結部１０２ｂが上ケース１０１の装着本体部１０１ｂの裏面に重ね合わされる。
【００２７】
しかる後、両封止孔１０１ａ，１０２ａに封印部材１１０を嵌め込んで基板ケース１０４の一方の短辺側を封印すると共に、基板ケース１０４の他方の短辺側で重なり合う装着本体部１０１ｂと連結部１０２ｂとを、貫通孔１０１ｃに挿入したネジ１１１をネジ孔１０２ｃに螺着することで固定する。次いで、図１０に示すように、連結部１０２ｂの裏面にスペーサ板１０６を重ねて装着本体部１０１ｂの開放端を塞いだ後、ネジ１１１の上から装着本体部１０１ｂとスペーサ板１０６とに跨がるように封印シール１１２をコの字状に貼り付ける（図１２参照）。
【００２８】
次いで、図１３に示すように、シールカバー１０３を封印シール１１２の外方からシール装着部１０７に挿入して押し込み、その挿入過程で装着本体部１０１ｂの外壁面に形成された係止爪１０１ｄとシールカバー１０３の内端面に形成された係止溝１０３ａとをスナップフィット結合させると、シールカバー１０３が上ケース１０１のシール装着部１０７に対して嵌め殺しと呼ばれる取り外し不能状態で取り付けられる（図５参照）。その結果、基板ケース１０４の他方の短辺側も封印され、この時点で基板ケース１０４の封印が完了して図４〜図７に示す基板ユニット１００を得ることができる。この状態では、封印シール１１２の全体がシールカバー１０３で覆われているため、封印シール１１２を剥がすことはできなくなっている。なお、封印が完了した基板ユニット１００に対してリーダー機をシールカバー１０３に近付けることにより、封印シール１１２のＩＣタグに記憶されている識別情報を読み取ることができる。
【００２９】
そして、このように基板ケース１０４の封印が完了した基板ユニット１００においては、シールカバー１０３が上ケース１０１のシール装着部１０７に嵌め殺しと呼ばれる取り外し不能状態で取り付けられているため、シールカバー１０３を破壊して内部の係止爪１０１ｄと係止溝１０３ａのスナップフィット結合を解除しない限り、シールカバー１０３をシール装着部１０７から取り外すことができない。すなわち、内部のスナップフィット結合を破壊してシールカバー１０３をシール装着部１０７から取り外すと、そのシールカバー１０３を再度取り付けることができなくなるため、シールカバー１０３を取り外して封印シール１１２を剥がすような不正行為を確実に防止することができる。しかも、簡単な押し込み操作によってシールカバー１０３がシール装着部１０７に取り外し不能状態で取り付けられるため、シールカバー１０３を超音波溶着によってシール装着部１０７に取り付ける場合に比べると、基板ケース１０４の封印作業を簡単に行うことができる。
【００３０】
基板ケース１０４の封印を解除する場合は、まず、基板ケース１０４の一方の短辺側を封印している封印部材１１０を取り外した後、図１４に示すように、シールカバー１０３の切除容易部１０３ｂにドライバー等の治具１１３を差し込む。そして、この治具１１３の先端を封印シール１１２を挿通してネジ１１１の頭部にアクセスさせた状態で、治具１１３を回転操作してネジ１１１を緩めることにより、上ケース１０１の装着本体部１０１ｂと下ケース１０２の連結部１０２ｂとの結合を解除すると、この時点で基板ケース１０４の封印が解除される。次いで、上ケース１０１と下ケース１０２を離反方向へスライド移動して基板ケース１０４を開封した後、マイナスドライバー等の工具をシールカバー１０３の内部に差し込んで係止爪１０１ｄと係止溝１０３ａのロック状態を解除することにより、シールカバー１０３をシール装着部１０７から取り外す。最後に、封印シール１１２をシール装着部１０７から剥がし、スペーサ板１０６を装着本体部１０１ｂから取り外す。
【００３１】
このようにシールカバー１０３を取り外して基板ケース１０４を開封する際に、封印シール１１２を突き破らない限り治具１１３の先端をネジ１１１の頭部にアクセスさせることができないため、切除容易部１０３ｂの奥側に貼着された封印シール１１２の破損痕跡の有無を目視確認することによって、基板ケース１０４が開封されたことを確実に発見することができる。しかも、シールカバー１０３に治具挿入用の切除容易部１０３ｂが形成されており、この切除容易部１０３ｂの腕部が治具１１３の挿入によって切断されるようになっているため、封印シール１１２の破損痕跡の有無だけでなく、切除容易部１０３ｂの破損痕跡の有無を目視確認することによっても、基板ケース１０４が開封されたことを確実に発見することができる。なお、切除容易部１０３ｂの各腕部は治具１１３の差し込み時や回転操作時に簡単に切断可能であるが、治具１１３を切除容易部１０３ｂに差し込む前に、切除容易部１０３ｂの各腕部をニッパー等で切断することで円形孔と同形状の開口を形成し、その後にこの開口に治具１１３を差し込むようにしても良い。
【００３２】
以上説明したように、本実施形態例に係る基板ユニット１００では、上ケース（第１ケース）１０１に設けられたシール装着部１０７と下ケース（第２ケース）１０２に設けられた連結部１０２ｂとをネジ１１１で固定すると共に、このネジ１１１の上からシール装着部１０７に封印シール１１２を貼着した後、シールカバー１０３をシール装着部１０７に挿入して押し込むと、両者１０３，１０７の内部で係止爪１０１ｄと係止溝１０３ａとがスナップフィット結合するようになっているため、シール装着部１０７に対してシールカバー１０３をスナップインするという簡単な作業で基板ケース１０４（両ケース１０１，１０２）を封印することができる。また、シールカバー１０３の切除容易部１０３ｂに差し込んだドライバー等の治具１１３で封印シール１１２を突き破らない限りネジ１１１を緩めることができないため、封印シール１１２の破損痕跡の有無を目視確認することによって、両ケース１０１，１０２が開封されたことを確実に発見することができる。しかも、ネジ１１１を緩めてもシールカバー１０３はシール装着部１０７にスナップフィット結合されたままのロック状態を維持するため、シールカバー１０３をシール装着部１０７に取り付けたまま、上ケース１０１と下ケース１０２を離反方向へスライド移動して基板ケース１０４を開封することができる。
【００３３】
また、下ケース１０２の連結部１０２ｂにネジ１１１で固定されるシール装着部１０７が、上ケース１０１に一体的に設けられた装着本体部１０１ｂと、この装着本体部１０１ｂの開放端を塞ぐスペーサ板１０６との２部材からなるため、装着本体部１０１ｂがアンダーカット形状とならず、上ケース１０１を簡単な金型構造の成形機を用いて安価に製造することができる。しかも、これら装着本体部１０１ｂとスペーサ板１０６とに跨がるように封印シール１１２が貼着されており、ネジ１１１を緩めてシール装着部１０７と連結部１０２ｂとを分離した後、さらにシール装着部１０７を装着本体部１０１ｂとスペーサ板１０６とに分離することができるため、スペーサ板１０６が取り除かれたスペースを利用してシールカバー１０３とシール装着部１０７のスナップフィット結合を比較的容易に解除することができる。
【００３４】
なお、上記実施形態例では、シールカバー１０３に複数の腕部を有する切除容易部１０３ｂを設け、この切除容易部１０３ｂの各腕部を治具１１３の挿入力やニッパー等で切断することにより、治具挿入用の開口が形成されるようになっているが、予めシールカバー１０３に腕部を持たない開口（バカ孔）を穿設しておいても良い。この場合においても、シールカバー１０３の開口の奥側に貼着された封印シール１１２の破損痕跡の有無を目視確認することによって、基板ケース１０４が開封されたことを確実に発見することができる。
【００３５】
また、上記実施形態例では、上ケース１０１のシール装着部１０７が、上ケース１０１に一体的に設けられた装着本体部１０１ｂと、この装着本体部１０１ｂの開放端を塞ぐスペーサ板１０６との２部材からなる場合について説明したが、スライドコア方式の金型成形機を用いて装着本体部１０１ｂとスペーサ板１０６とを一体成形することも可能である。
【００３６】
また、上記実施形態例では、上ケース１０１のシール装着部１０７と下ケース１０２の連結部１０２ｂとを一体化するネジ１１１が、装着本体部１０１ｂの側面の貫通孔１０１ｃから挿入されて連結部１０２ｂのネジ孔１０２ｃに螺着されるようになっているが、これとは逆に、ネジ１１１を連結部１０２ｂに穿設された貫通孔に挿入して装着本体部１０１ｂのネジ孔に螺着することも可能である。
【００３７】
また、上記実施形態例では、本発明の基板ユニット１００をパチンコ機Ｐに適用した場合について説明したが、スロットマシン等の他の遊技機についても同様に適用可能であることは言うまでもない。
【符号の説明】
【００３８】
７  遊技盤
１００  基板ユニット
１０１  上ケース（第１ケース）
１０１ａ  封止孔
１０１ｂ  装着本体部
１０１ｃ  貫通孔
１０１ｄ  係止爪（係止部）
１０２  下ケース（第２ケース）
１０２ａ  封止孔
１０２ｂ  連結部
１０２ｃ  ネジ孔
１０３  シールカバー
１０３ａ  係止溝（係止部）
１０３ｂ  切除容易部
１０４  基板ケース
１０５  制御基板
１０６  スペーサ板
１０７  シール装着部
１１０  封印部材
１１１  ネジ
１１２  封印シール
Ｐ  パチンコ機（遊技機）
【図１】
2012170548.tif 000003
【図２】
2012170548.tif 000004
【図４】
2012170548.tif 000005
【図５】
2012170548.tif 000006
【図６】
2012170548.tif 000007
【図７】
2012170548.tif 000008
【図８】
2012170548.tif 000009
【図９】
2012170548.tif 000010
【図１０】
2012170548.tif 000011
【図１１】
2012170548.tif 000012
【図１２】
2012170548.tif 000013
【図１３】
2012170548.tif 000014
【図１４】
2012170548.tif 000015
【図３】
2012170548.tif 000016